(57)【要約】【課題】訴求力の高い動画投稿サイトから、ユーザの興味に合致するテキストを掲載しているブログへ効果的に誘導可能な動画投稿サイト連携システム、装置、および方法を提供すること。【解決手段】投稿端末１００−１と、投稿端末１００−１のユーザにて編集されたブログを公開するブログサーバ２００と、動画配信サーバ３００とが、通信可能に接続される動画投稿サイト連携システムであって、クライアント端末が、ユーザによる、ブログに掲載するためのテキストデータと動画データとからなるブログデータの投稿指示を受け付ける投稿受付手段１１０と、ブログデータをブログサーバに送信すると共に、ブログデータのネットワークアドレスに関連付けて、前記ブログデータに含まれるテキストデータを動画データの再生時に出力可能な状態で動画データと共に動画配信サーバに送信する投稿手段１１１と、を備えるシステム。【選択図】図２
2010067080.tif 000002
【特許請求の範囲】
【請求項１】
クライアント端末と、前記クライアント端末のユーザにて編集されたブログを公開するブログサーバと、動画配信サーバとが、通信可能に接続される動画投稿サイト連携システムであって、
前記クライアント端末が、前記ユーザによる、前記ブログに掲載するためのテキストデータと動画データとからなるブログデータの投稿指示を受け付ける投稿受付手段と、
前記ブログデータをブログサーバに送信すると共に、前記ブログデータのネットワークアドレスと、前記ブログデータに含まれるテキストデータを前記動画データの再生時に出力可能な状態で、前記動画データと共に前記動画配信サーバに送信する投稿手段と、を備えるシステム。
【請求項２】
クライアント端末と、前記クライアント端末のユーザにて編集されたブログを公開するブログサーバと、動画配信サーバとが、通信可能に接続される動画投稿サイト連携システムであって、
前記クライアント端末が、前記ユーザによる、前記ブログに掲載するためのテキストデータと動画データとからなるブログデータの投稿指示を受け付ける投稿受付手段と、
前記ブログデータをブログサーバに送信するブログ投稿手段と、を備え、
前記ブログサーバが、前記ブログデータのネットワークアドレスと、前記クライアント端末から受信したブログデータに含まれるテキストデータを前記動画データの再生時に出力可能な状態で、前記動画データと共に前記動画配信サーバに送信する転送手段と、を備えるシステム。
【請求項３】
クライアント端末と、前記クライアント端末のユーザにて編集されたブログを公開するブログサーバと、動画配信サーバと、動画投稿サイト連携装置とが、通信可能に接続される動画投稿サイト連携システムであって、
前記動画投稿サイト連携装置が、
前記クライアント端末から、前記ブログに掲載するためのテキストデータと動画データとからなるブログデータの投稿指示を受け付ける投稿受付手段と、
前記ブログデータをブログサーバに送信するブログ投稿手段と、
前記ブログデータのネットワークアドレスと、前記クライアント端末から受信したブログデータに含まれるテキストデータを前記動画データの再生時に出力可能な状態で、前記動画データと共に前記動画配信サーバに送信する動画投稿手段と、
を備えるシステム。
【請求項４】
前記動画配信サーバは、前記動画データの再生に際してユーザから前記テキストデータの選択操作を受け付けたことに応じて、前記ネットワークアドレスを有する前記ブログデータを出力するリンク手段を備える、請求項１から請求項３のいずれかに記載のシステム。
【請求項５】
前記動画配信サーバは、前記ブログデータに含まれるテキストデータを、前記動画データの再生時に音声データに変換して出力する音声変換手段を備える請求項１から請求項４のいずれかに記載のシステム。
【請求項６】
前記動画配信サーバは、前記ブログデータに含まれるテキストデータを、前記動画データの再生時にキャプションとして合成して出力するキャプション合成手段を備える請求項１から請求項５のいずれかに記載のシステム。
【請求項７】
クライアント端末と、前記クライアント端末のユーザにて編集されたブログを公開するブログサーバと、動画配信サーバとが、通信可能に接続される動画投稿サイト連携方法であって、
前記クライアント端末が、前記ユーザによる、前記ブログに掲載するためのテキストデータと動画データとからなるブログデータの投稿指示を受け付けるステップと、
前記ブログデータをブログサーバに送信すると共に、前記ブログデータのネットワークアドレスと、前記ブログデータに含まれるテキストデータを前記動画データの再生時に出力可能な状態で、前記動画データと共に前記動画配信サーバに送信するステップと、を含む方法。
【請求項８】
クライアント端末と、前記クライアント端末のユーザにて編集されたブログを公開するブログサーバと、動画配信サーバとが、通信可能に接続される動画投稿サイト連携方法であって、
前記クライアント端末が、前記ユーザによる、前記ブログに掲載するためのテキストデータと動画データとからなるブログデータの投稿指示を受け付けるステップと、
前記ブログデータをブログサーバに送信するステップと、を含み、
前記ブログサーバが、前記ブログデータのネットワークアドレスと、前記クライアント端末から受信したブログデータに含まれるテキストデータを前記動画データの再生時に出力可能な状態で、前記動画データと共に前記動画配信サーバに送信するステップを含む方法。
【発明の詳細な説明】
【技術分野】
【０００１】
本発明は、動画投稿サイトとブログ投稿サイトとを連携する動画投稿サイト連携システム、装置、および方法に関する。
【背景技術】
【０００２】
従来、いわゆるブログ（ｂｌｏｇ：ｗｅｂｌｏｇの略称）は、テキストや図・写真で構成されていた。しかし、近年、インターネットのブロードバンド化や、携帯電話で手軽に動画が撮影できるようになったこと等により、文字では伝えにくい内容を伝えることができる動画を掲載するブログが増えており、動画を掲載するブログを作成する技術がある（例えば、特許文献１）。
【０００３】
また、掲示板の書き込みのように気軽に動画が投稿でき、不特定多数の第三者に動画を閲覧させることができる動画投稿サイトが活況を呈している。その理由としては、動画投稿サイトにはユーザの多様なニーズに合った豊富なコンテンツが用意されていることや、ユーザが好きな時間に手軽に動画を楽しめること等が挙げられる。また、動画投稿サイトは、ユーザが閲覧した動画に対してその動画を投稿した人の別の動画一覧を表示したり、関連する動画を表示したりすることができることにより、テーマが同じといった関連ある動画を連続して見ることができる。それにより、ユーザが意識して動画を選択しなくとも、連続的に動画を見ること、つまり動画の流し見が可能である。
【特許文献１】特開２００８−１２９８４１号公報
【発明の開示】
【発明が解決しようとする課題】
【０００４】
しかし、国内のブログは約１６９０万件あり、その中からおもしろい動画が掲載されたブログを見つけ出すのは困難である。更に、検索エンジンからのアクセスを増やすために、様々なキーワードを大量に埋め込んだ広告誘導のブログや、他のブログから掲載内容をコピーして作成されたブログ等の、いわゆる「スパムブログ」が増加しているために、ブログ検索を行っても、ユーザが必要としているブログにたどり着けないという問題点がある。
【０００５】
一方で、上述の様に動画投稿サイトは動画という一見して把握容易なコンテンツを配信することができるので訴求力が高い反面、素人が作成した動画の多くはホームビデオをそのまま投稿したものであり、その構成や効果等の動画の編集内容には限界がある。このことは、動画を添付したブログも同様であり、ブログ本来の面白さは動画そのものではなく、添付した動画の説明や背景となる出来事や本人の思想や感想を説明したテキストそのものにあることが多い。
【０００６】
そこで、本発明は、訴求力の高い動画投稿サイトから、ユーザの興味に合致するテキストを掲載しているブログへ効果的に誘導可能な動画投稿サイト連携システム、装置、および方法を提供することを目的とする。
【課題を解決するための手段】
【０００７】
本発明では、以下のような解決手段を提供する。
【０００８】
（１）クライアント端末と、前記クライアント端末のユーザにて編集されたブログを公開するブログサーバと、動画配信サーバとが、通信可能に接続される動画投稿サイト連携システムであって、前記クライアント端末が、前記ユーザによる、前記ブログに掲載するためのテキストデータと動画データとからなるブログデータの投稿指示を受け付ける投稿受付手段と、前記ブログデータをブログサーバに送信すると共に、前記ブログデータのネットワークアドレスと、前記ブログデータに含まれるテキストデータを前記動画データの再生時に出力可能な状態で、前記動画データと共に前記動画配信サーバに送信する投稿手段と、を備えるシステム。
【０００９】
（１）の構成によれば、クライアント端末は、ブログに掲載するためのテキストデータと動画データとからなるブログデータの投稿指示をユーザから受け付けたことに応じて、ブログデータをブログサーバおよび動画配信サーバへ送信する。動画配信サーバへは、ブログデータに加えて、ブログデータのネットワーク上のアドレスと動画データの再生時に出力可能な状態であるテキストデータとが関連付けられて送信される。
【００１０】
このように、動画配信サーバへブログデータのネットワーク上のアドレスが送信されることにより、動画配信サーバに登録される動画とブログとをブログのネットワーク上のアドレスにて関連付けることができる。それにより、動画を閲覧したユーザを、そのユーザの興味に合致するテキストを掲載しているブログへ誘導することができる。また、テキストデータが、動画データの再生時に出力可能な状態であることにより、ブログの掲載するテキストデータを動画データの再生に合わせて出力することができる。それにより、動画の説明や背景となる出来事や本人の思想や感想を説明したブログのテキストを動画再生時にユーザに提供できることにより、動画を閲覧したユーザを、そのユーザの興味に合致するテキストを掲載しているブログへより効果的に誘導することができる。
【００１１】
（２）クライアント端末と、前記クライアント端末のユーザにて編集されたブログを公開するブログサーバと、動画配信サーバとが、通信可能に接続される動画投稿サイト連携システムであって、前記クライアント端末が、前記ユーザによる、前記ブログに掲載するためのテキストデータと動画データとからなるブログデータの投稿指示を受け付ける投稿受付手段と、前記ブログデータをブログサーバに送信するブログ投稿手段と、を備え、前記ブログサーバが、ブログデータの送信先であるネットワークアドレスと、前記クライアント端末から受信したブログデータに含まれるテキストデータを前記動画データの再生時に出力可能な状態で、前記動画データと共に前記動画配信サーバに送信する転送手段と、を備えるシステム。
【００１２】
（２）の構成によれば、クライアント端末は、ブログに掲載するためのテキストデータと動画データとからなるブログデータの投稿指示をユーザから受け付けたことに応じて、ブログデータをブログサーバへ送信する。ブログサーバは、クライアント端末から受信したブログデータのネットワーク上のアドレスと、動画データの再生時に出力可能な状態であるテキストデータとを関連付けて動画配信サーバへ送信する。
【００１３】
このように、動画配信サーバへブログデータのネットワーク上のアドレスが送信されることにより、動画配信サーバに登録される動画とブログとをブログのネットワーク上のアドレスにて関連付けることができる。それにより、動画を閲覧したユーザを、そのユーザの興味に合致するテキストを掲載しているブログへ誘導することができる。また、テキストデータが動画データの再生時に出力可能な状態として動画配信サーバへ送信されることにより、ブログの掲載するテキストデータを動画データの再生に合わせて出力することができる。それにより、動画の説明や背景となる出来事や本人の思想や感想を説明したブログのテキストを動画再生時にユーザに提供できることにより、動画を閲覧したユーザを、そのユーザの興味に合致するテキストを掲載しているブログへより効果的に誘導することができる。
【００１４】
（３）クライアント端末と、前記クライアント端末のユーザにて編集されたブログを公開するブログサーバと、動画配信サーバと、動画投稿サイト連携装置とが、通信可能に接続される動画投稿サイト連携システムであって、前記動画投稿サイト連携装置が、前記クライアント端末から、前記ブログに掲載するためのテキストデータと動画データとからなるブログデータの投稿指示を受け付ける投稿受付手段と、前記ブログデータをブログサーバに送信するブログ投稿手段と、前記ブログデータのネットワークアドレスと、前記クライアント端末から受信したブログデータに含まれるテキストデータを前記動画データの再生時に出力可能な状態で、前記動画データと共に前記動画配信サーバに送信する動画投稿手段と、を備えるシステム。
【００１５】
（３）の構成によれば、動画投稿サイト連携装置は、クライアント端末からブログに掲載するためのテキストデータと動画データとからなるブログデータを受け付け、受け付けたブログデータをブログサーバへ送信し、受け付けたブログデータのネットワーク上のアドレスと、動画データの再生時に出力可能な状態であるテキストデータとを関連付けて動画配信サーバへ送信する。
【００１６】
このように、動画配信サーバへブログデータのネットワーク上のアドレスが送信されることにより、動画配信サーバに登録される動画とブログとをブログのネットワーク上のアドレスにて関連付けることができる。それにより、動画を閲覧したユーザを、そのユーザの興味に合致するテキストを掲載しているブログへ誘導することができる。また、テキストデータが動画データの再生時に出力可能な状態として動画配信サーバへ送信されることにより、ブログの掲載するテキストデータを動画データの再生に合わせて出力することができる。それにより、動画の説明や背景となる出来事や本人の思想や感想を説明したブログのテキストを動画再生時にユーザに提供できることにより、動画を閲覧したユーザを、そのユーザの興味に合致するテキストを掲載しているブログへより効果的に誘導することができる。
【００１７】
（４）前記動画配信サーバは、前記動画データの再生に際してユーザから前記テキストデータの選択操作を受け付けたことに応じて、前記ネットワークアドレスを有する前記ブログデータを出力するリンク手段を備える、（１）から（３）のいずれかに記載のシステム。
【００１８】
（４）の構成によれば、前記動画データの再生に際してユーザからの当該テキストデータの選択操作に応じて、動画データ再生の際に出力可能であるテキストデータに関連付けられたネットワークアドレスを有するブログデータにリンクすることができる。このように、動画の再生時に、ブログデータにリンクすることができることにより、動画を閲覧したユーザを、そのユーザの興味に合致するテキストを掲載しているブログへ誘導することができる。
【００１９】
（５）前記動画配信サーバは、前記ブログデータに含まれるテキストデータを、前記動画データの再生時に音声データに変換して出力する音声変換手段を備える（１）から（４）のいずれかに記載のシステム。
【００２０】
（５）の構成によれば、動画配信サーバは、ブログデータに含まれるテキストデータを、動画データの再生時に音声データに変換して出力する。すなわち、動画データの再生に合わせてテキストデータの内容を音声にて出力することができる。その結果、動画の説明や背景となる出来事や本人の思想や感想を説明したブログのテキストを動画再生時に音声にてユーザに提供することにより、動画を閲覧したユーザを、そのユーザの興味に合致するテキストを掲載しているブログへより効果的に誘導することができる。
【００２１】
（６）前記動画配信サーバは、前記ブログデータに含まれるテキストデータを、前記動画データの再生時にキャプションとして合成して出力するキャプション合成手段を備える（１）から（５）のいずれかに記載のシステム。
【００２２】
（６）の構成によれば、動画配信サーバは、ブログデータに含まれるテキストデータを、動画データの再生時にキャプションとして合成して出力する。すなわち、動画データの再生に合わせて動画の説明や背景となる出来事や本人の思想や感想を説明したブログのテキストをキャプションにて出力することができる。その結果、動画を閲覧したユーザを、そのユーザの興味に合致するテキストを掲載しているブログへより効果的に誘導することができる。
【００２３】
（７）クライアント端末と、前記クライアント端末のユーザにて編集されたブログを公開するブログサーバと、動画配信サーバとが、通信可能に接続される動画投稿サイト連携方法であって、前記クライアント端末が、前記ユーザによる、前記ブログに掲載するためのテキストデータと動画データとからなるブログデータの投稿指示を受け付けるステップと、前記ブログデータをブログサーバに送信すると共に、前記ブログデータのネットワークアドレスと、前記ブログデータに含まれるテキストデータを前記動画データの再生時に出力可能な状態で、前記動画データと共に前記動画配信サーバに送信するステップと、を含む方法。
【００２４】
（８）クライアント端末と、前記クライアント端末のユーザにて編集されたブログを公開するブログサーバと、動画配信サーバとが、通信可能に接続される動画投稿サイト連携方法であって、前記クライアント端末が、前記ユーザによる、前記ブログに掲載するためのテキストデータと動画データとからなるブログデータの投稿指示を受け付けるステップと、前記ブログデータをブログサーバに送信するステップと、を含み、前記ブログサーバが、前記ブログデータのネットワークアドレスと、前記クライアント端末から受信したブログデータに含まれるテキストデータを前記動画データの再生時に出力可能な状態で、前記動画データと共に前記動画配信サーバに送信するステップと、を含む方法。
【発明の効果】
【００２５】
本発明によれば、訴求力の高い動画投稿サイトから、ユーザの興味に合致するテキストを掲載しているブログへ効果的に誘導可能な動画投稿サイト連携システム、装置、および方法を提供することができる。
【発明を実施するための最良の形態】
【００２６】
以下、本発明の実施形態について図を参照しながら説明する。
（第１実施形態）
【００２７】
［動画投稿サイト連携システムの全体構成］
図１は、本発明の第１および第２実施形態に係る動画投稿サイト連携システムの全体構成を示す図である。動画投稿サイト連携システム１は、２台のクライアント端末１００−１，１００−２、ブログサーバ２００、および動画配信サーバ３００を含んで構成される。２台のクライアント端末１００−１，１００−２、ブログサーバ２００、および動画配信サーバ３００は、それぞれ通信回線５００を介して接続されている。なお、通信回線５００は有線、無線を問わない。図では２台のクライアント端末のうち、一方のクライアント端末を投稿端末１００−１、他方のクライアント端末を閲覧端末１００−２とする。動画投稿サイト連携システム１としては図１に示す以外のハードウェアを有する場合もあるが、ここでは必要最小限の資源を用いた場合について説明する。
【００２８】
ブログサーバ２００は、ブログを運営するサーバである。具体的には、投稿端末１００−１のユーザから投稿されたブログの記事情報、つまり、投稿端末１００−１から送信されたブログデータを記憶し管理する機能と、ユーザの要求に応じてブログの記事情報を公開する機能とを有する。
【００２９】
動画配信サーバ３００は、動画投稿サイトにおける動画を配信するサーバである。具体的には、投稿端末１００−１から送信されたブログデータに含まれる動画をブログサーバ２００から受信し、記憶および管理する機能と、ユーザからの要求に応じて動画を配信する機能とを有する。動画の配信は、例えば、ストリーミング配信によって行われる。
【００３０】
投稿端末１００−１は、通信回線５００を介してブログデータをブログサーバ２００に、又は、ブログサーバ２００および動画配信サーバ３００に、送信する機能を有する。一方、閲覧端末１００−２は、ブログおよび動画を閲覧する機能を有する。投稿端末１００−１は閲覧端末１００−２の機能を有することができ、逆も可能である。投稿端末１００−１，１００−２は、上述した機能を有するものであればどのようなものでもよく、携帯電話機、ＰＨＳ（Ｐｅｒｓｏｎａｌ  Ｈａｎｄｙ−ｐｈｏｎｅ  Ｓｙｓｔｅｍ：登録商標）、モバイル、ノートＰＣ、ＰＤＡ（Ｐｅｒｓｏｎａｌ  Ｄｉｇｉｔａｌ  Ａｓｓｉｓｔａｎｔ）等が該当する。
【００３１】
［投稿端末、ブログサーバ、および動画配信サーバの機能構成］
図２は、本発明の第１実施形態に係る投稿端末１００−１、ブログサーバ２００、および動画配信サーバ３００の機能構成の概要を示す図である。投稿端末１００−１は、投稿受付手段１１０、および投稿手段１１１を備える。投稿受付手段１１０は、投稿端末１００−１のユーザがブログ記事作成ページに入力したブログデータのブログサーバ２００および動画配信サーバ３００への投稿要求を受け付け、投稿要求がなされたブログデータを投稿手段１１１に送信する。投稿手段１１１は、投稿受付手段１１０からブログデータを受信し、ブログデータをブログサーバ２００のブログデータ受信手段２１０へ送信すると共に、ブログデータに動画データが含まれる場合にはブログデータおよびブログアドレスを動画配信サーバへ送信する。ブログ記事作成ページについては後述する。
【００３２】
ここで、ブログアドレスとは、後述するブログ記憶手段２３０に記憶されているブログデータの場所を指し示し、ブログが置かれているブログサーバ２００の場所とブログ記憶手段２３０におけるブログを構成するブログデータの記憶場所とから構成されるネットワーク上のアドレスであり、例えば、ＵＲＩ（Ｕｎｉｆｏｒｍ  Ｒｅｓｏｕｒｃｅ  Ｉｄｅｎｔｉｆｉｅｒ）又はＵＲＬ（Ｕｎｉｆｏｒｍ  Ｒｅｓｏｕｒｃｅ  Ｌｏｃａｔｏｒ）等がある。なお、ブログアドレスをブラウザに指定すると、ブログアドレスに対応するブログがブラウザに表示される。
【００３３】
ブログサーバ２００は、ブログデータ受信手段２１０、ブログデータ登録手段２１１、およびブログ記憶手段２３０を備える。ブログデータ受信手段２１０は、投稿手段１１１から送信されたブログデータを受信し、ブログデータ登録手段２１１に送信する。ブログデータ登録手段２１１は、ブログデータ受信手段２１０にて受信したブログデータをブログ記憶手段２３０に登録する。ブログ記憶手段２３０は、ユーザにブログとして公開するブログデータを記憶する。
【００３４】
動画配信サーバ３００は、動画連携データ受信手段３１０、動画登録手段３１１、連携データ登録手段３１２、動画記憶手段３３０、および連携データ記憶手段３４０を備える。動画連携データ受信手段３１０は、投稿手段１１１から送信されたブログデータとブログアドレスとを受信し、動画登録手段３１１に送信する。
【００３５】
動画登録手段３１１は、動画連携データ受信手段３１０にて受信したブログデータに含まれる動画データを識別する動画ＩＤを発行し、発行された動画ＩＤと受信された動画データとを関連付けて、動画記憶手段３３０に登録する。また、動画登録手段３１１は、発行された動画ＩＤと、ブログデータに含まれるテキストデータと、ブログアドレスとを連携データ登録手段に送信する。連携データ登録手段３１２は、動画登録手段３１１から送信された、ブログアドレスとブログデータに含まれるテキストデータとを動画ＩＤに対応付けて、連携データ記憶手段３４０に登録する。動画記憶手段３３０は、動画ＩＤと動画データとを関連付けて記憶する。
【００３６】
連携データ記憶手段３４０は、動画ＩＤと、動画ＩＤにて特定される動画が投稿されているブログのブログアドレスおよびそのブログのテキストデータとを関連付けて記憶している。このような構成を有する連携データ記憶手段３４０により、動画投稿サイトの動画とその動画が投稿されているブログとを関連付けることができる。それにより、動画投稿サイトにて動画を閲覧したユーザを、そのユーザの興味に合致するテキストを掲載しているブログへ誘導することが可能となる。
【００３７】
［閲覧端末、および動画配信サーバの更なる機能構成］
図３は、本発明の第１実施形態に係る閲覧端末１００−２、および動画配信サーバ３００の更なる機能構成の概要を示す図である。閲覧端末１００−２は動画要求送信手段１１２、選択操作送信手段１１３、受信手段１１４、および出力手段１１５を備える。
【００３８】
動画要求送信手段１１２は、閲覧端末１００−２のユーザがキーボード、マウス等の入力手段（図示せず）にて入力した動画要求を受け付け、動画要求がなされた動画の動画ＩＤを動画配信サーバ３００の動画要求受信手段３２１に送信する。選択操作送信手段１１３は、閲覧端末１００−２のユーザがキーボード、マウス等の入力手段（図示せず）にて入力した選択操作を受け付け、選択操作がなされた動画の動画ＩＤを動画配信サーバ３００の選択操作受信手段３５１に送信する。
【００３９】
受信手段１１４は、動画配信サーバ３００にて作成された音声やキャプションを動画に関連付けした動画コンテンツをコンテンツ送信手段３２５から受信し、また、動画配信サーバ３００のアドレス送信手段３５３からブログアドレスを受信する。出力手段１１５は、例えば、スピーカーやディスプレイであり、受信手段１１４で受信した動画コンテンツが再生される際に、動画コンテンツに関連付けされた音声およびキャプションを出力する。また、受信手段１１４にて受信したブログアドレスに基づいてブラウザにて取得したブログを出力する。
【００４０】
動画配信サーバ３００は、動画要求受信手段３２１、動画取得手段３２２、音声変換手段３２３、キャプション合成手段３２４、コンテンツ送信手段３２５、およびリンク手段３５０を更に備える。リンク手段３５０は、選択操作受信手段３５１、アドレス取得手段３５２、およびアドレス送信手段３５３を有する。動画要求受信手段３２１は、動画要求送信手段１１２から動画ＩＤを受信し、動画取得手段３２２と、音声変換手段３２３とに送信する。
【００４１】
動画取得手段３２２は、動画要求受信手段３２１で受信した動画ＩＤに基づいて、動画記憶手段３３０から動画を取得する。音声変換手段３２３は、動画要求受信手段３２１で受信した動画ＩＤに基づいて、連携データ記憶手段３４０から動画とあわせてブログに投稿されたテキストデータを取得し、テキストデータを音声データに変換する。キャプション合成手段３２４は、音声変換手段３２３にて取得されたテキストデータを音声変換手段３２３から取得し、テキストデータからキャプションを作成する。
【００４２】
コンテンツ送信手段３２５は、音声変換手段３２３にて作成された音声データと、キャプション合成手段３２４にて作成されたキャプションとを動画に関連付けした動画コンテンツを、閲覧端末１００−２の受信手段１１４に送信する。
【００４３】
選択操作受信手段３５１は、選択操作送信手段１１３から受信した選択された動画の動画ＩＤを受信し、受信した動画ＩＤをアドレス取得手段３５２に送信する。アドレス取得手段３５２は、選択操作受信手段３５１で受信した動画ＩＤに対応するブログアドレスを連携データ記憶手段３４０から取得し、取得したブログアドレスをアドレス送信手段３５３に送信する。アドレス送信手段３５３は、アドレス取得手段３５２にて取得されたブログアドレスを閲覧端末１００−２の受信手段１１４に送信する。
【００４４】
［投稿端末、閲覧端末、ブログサーバ、および動画配信サーバのハードウェア構成］
図４は、本発明の各実施形態に係る投稿端末１００−１、閲覧端末１００−２、ブログサーバ２００、および動画配信サーバ３００のハードウェア構成を示す図である。本発明が実施される装置は標準的なものでよく、以下に構成の一例を示す。なお、投稿端末１００−１，閲覧端末１００−２、ブログサーバ２００、および動画配信サーバ３００を、コンピュータを典型とする情報処理装置１０００として全般的な構成を説明する。
【００４５】
情報処理装置１０００は、制御部１３００を構成するＣＰＵ（Ｃｅｎｔｒａｌ  Ｐｒｏｃｅｓｓｉｎｇ  Ｕｎｉｔ）１３１０（マルチプロセッサ構成ではＣＰＵ１３２０等複数のＣＰＵが追加されてもよい）、バスライン１２００、通信Ｉ／Ｆ（Ｉ／Ｆ：インターフェイス）１３３０、メインメモリ１３４０、ＢＩＯＳ（Ｂａｓｉｃ  Ｉｎｐｕｔ  Ｏｕｔｐｕｔ  Ｓｙｓｔｅｍ）１３５０、表示装置１３６０、Ｉ／Ｏコントローラ１３７０、キーボードおよびマウス等の入力装置１３８０、ハードディスク１３９０、光ディスクドライブ１４００、並びに半導体メモリ１４２０を備える。なお、ハードディスク１３９０、光ディスクドライブ１４００、並びに半導体メモリ１４２０はまとめて記憶装置１４３０と呼ぶ。
【００４６】
制御部１３００は、情報処理装置１０００を統括的に制御する部分であり、ハードディスク１３９０（後述）に記憶された各種プログラムを適宜読み出して実行することにより、上述したハードウェアと協働し、本発明に係る各種機能を実現している。
【００４７】
通信Ｉ／Ｆ１３３０は、情報処理装置１０００が、通信回線５００を介してメールサーバと情報を送受信する場合のネットワーク・アダプタである。通信Ｉ／Ｆ１３３０は、モデム、ケーブル・モデムおよびイーサネット（登録商標）・アダプタを含んでよい。
【００４８】
ＢＩＯＳ１３５０は、情報処理装置１０００の起動時にＣＰＵ１３１０が実行するブートプログラムや、情報処理装置１０００のハードウェアに依存するプログラム等を記録する。
【００４９】
表示装置１３６０は、ブラウン管表示装置（ＣＲＴ）、液晶表示装置（ＬＣＤ）等のディスプレイ装置を含む。
【００５０】
Ｉ／Ｏコントローラ１３７０には、ハードディスク１３９０、光ディスクドライブ１４００、および半導体メモリ１４２０等の記憶装置１４３０を接続することができる。
【００５１】
入力装置１３８０は、情報処理装置１０００のユーザによる入力の受け付けを行うものである。
【００５２】
ハードディスク１３９０は、本ハードウェアを情報処理装置１０００として機能させるための各種プログラム、本発明の機能を実行するプログラムおよび後述するテーブルおよびレコードを記憶する。なお、情報処理装置１０００は、外部に別途設けたハードディスク（図示せず）を外部記憶装置として利用することもできる。
【００５３】
光ディスクドライブ１４００としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１４１０を使用する。光ディスク１４１０から光ディスクドライブ１４００によりプログラム又はデータを読み取り、Ｉ／Ｏコントローラ１３７０を介してメインメモリ１３４０又はハードディスク１３９０に提供することもできる。
【００５４】
なお、本発明でいうコンピュータとは、記憶装置、制御部等を備えた情報処理装置をいい、情報処理装置１０００は、記憶装置１４３０、制御部１３００等を備えた情報処理装置により構成され、この情報処理装置は、本発明のコンピュータの概念に含まれる。
【００５５】
投稿端末１００−１、閲覧端末１００−２、ブログサーバ２００、および動画配信サーバ３００の各手段は、制御部１３００によってプログラムが実行されることで実現される。但し、ブログ記憶手段２３０、動画記憶手段３３０、および連携データ記憶手段３４０は、主としてハードディスク１３９０に実装されるが、既に述べたように、他の記憶装置を用いてもよい。
【００５６】
［本発明の第１実施形態に係るフローチャート］
図５は、本発明の第１実施形態に係る投稿処理のフローチャートを示している。
【００５７】
Ｓ１００：投稿受付手段１１０は、投稿端末１００−１のユーザがブログ記事作成ページに入力したブログデータのブログサーバ２００への投稿要求を受け付けたことに応じて、ブログ記事作成ページにて入力されたブログデータを取得する。
Ｓ１１０：投稿手段１１１は、ステップＳ１００にて取得されたブログデータをブログサーバ２００に送信する。
【００５８】
Ｓ１２０：ブログデータ受信手段２１０は、ステップＳ１１０で送信されたブログデータを受信する。
Ｓ１３０：ブログデータ登録手段２１１は、ステップＳ１２０にて受信したブログデータをブログ記憶手段２３０に登録する。
【００５９】
Ｓ１４０：投稿手段１１１は、ブログデータに動画データが含まれているか否かの判断を行う。ブログデータに動画データが含まれる場合には、動画配信サーバ３００へブログデータとブログアドレスとを送信する。ブログに記事の一部として投稿された動画データを動画投稿サイトにも投稿するためである。一方、ブログデータに動画データが含まれない場合には、処理は終了する。これにより、ブログを投稿すると共に、動画投稿サイトに動画を投稿することができ、別途、動画投稿サイトに動画を投稿する手間を省くことができる。
Ｓ１５０：投稿手段１１１は、ブログデータに動画データが含まれると判断すると、ブログデータとブログアドレス（以下、ブログデータとブログアドレスとを合わせて動画連携データという）とを動画配信サーバ３００へ送信する。
【００６０】
Ｓ１６０：動画連携データ受信手段３１０は、ステップＳ１５０で送信された動画連携データを受信する。
Ｓ１７０：動画登録手段３１１は、ステップＳ１６０で受信した動画連携データから動画データを抽出し、抽出した動画データを識別する動画ＩＤを発行し、動画ＩＤと動画データとを対応付けて動画記憶手段３３０に登録する。
【００６１】
Ｓ１８０：連携データ登録手段３１２は、ステップＳ１６０にて受信した動画連携データから抽出したテキストデータと、ブログアドレスとをステップＳ１７０にて発行された動画ＩＤに対応付けて、連携データ記憶手段３４０に登録する。動画ＩＤにブログアドレスを対応付けることにより、動画配信サーバに登録された動画と、ブログサーバに登録されているブログとを関連付けることができる。つまり、配信される動画を閲覧したユーザを、その動画が投稿されているブログへ導くことができる。
【００６２】
図６は、本発明の第１実施形態に係る動画編集処理のフローチャートを示している。
Ｓ２００：動画要求送信手段１１２は、閲覧端末１００−２のユーザから動画要求を受け付けたことに応じて、ユーザが要求した動画データの動画ＩＤを動画配信サーバ３００へ送信する。
【００６３】
Ｓ２１０：動画要求受信手段３２１は、ステップＳ２００で送信された動画ＩＤを受信する。
Ｓ２２０：動画取得手段３２２は、ステップＳ２１０にて受信した動画ＩＤに対応する動画データを動画記憶手段３３０から取得する。
【００６４】
Ｓ２３０：音声変換手段３２３は、ステップＳ２１０にて受信した動画ＩＤに対応するテキストデータを連携データ記憶手段３４０から取得し、取得したテキストデータを音声データに変換する。この変換は、公知技術（例えば、特開平１０−１１０８３等を参照）を用いる。そして、変換した音声データは、ステップＳ２２０にて取得された動画データと合わせて再生されるように、動画データと関連付けられる。
【００６５】
Ｓ２４０：キャプション合成手段３２４は、ステップＳ２２０にて取得したテキストデータに基づいて、キャプションを合成する。キャプションは１つでもよいし、１文ごとに１つのようにテキストデータから複数のキャプションが合成されてもよい。そして、合成されたキャプションは、ステップＳ２２０にて取得された動画データが再生されている際に表示されるように、動画データと関連付けられる。
【００６６】
Ｓ２５０：コンテンツ送信手段３２５は、ステップＳ２３０およびステップＳ２４０にて、動画データに音声データおよびキャプションを関連付けた動画コンテンツを閲覧端末１００−２へ送信する。
【００６７】
Ｓ２６０：受信手段１１４は、ステップＳ２５０で送信された動画コンテンツを受信する。
Ｓ２７０：出力手段１１５は、ステップＳ２６０で受信した動画コンテンツを再生し、本フローの処理を終了する。動画コンテンツが再生される際に、動画データに関連付けられている音声は合わせて再生され、同様に動画データに関連付けられているキャプションが表示される。音声が再生されるタイミング、再生スピード、音声の声色等は任意でよい。キャプションは、常に表示してもよいし、動画にマウスカーソルが当たっているときのみ等所定の条件の場合に表示してもよい。また、キャプションをテロップとして表示するといった表示形態、キャプションの動画における表示位置、表示時間、表示タイミング等は任意でよい。
【００６８】
動画が再生される際に、動画と合わせて再生される音声やキャプションをその動画が投稿されているブログ記事から作成することにより、動画を提供するユーザは動画を編集することなしに、動画に関する情報を動画に埋め込むことができる。また、動画が添付されているブログに記載されている動画の説明等のテキストを動画に埋め込むことにより、その動画が添付されているブログの面白さを動画を閲覧するユーザに伝えることができる。それにより、動画が投稿されている動画投稿サイトから、動画を閲覧したユーザをその動画が添付されたブログへ効果的に誘導することができる。
【００６９】
図７は、本発明の第１実施形態に係る動画連携処理のフローチャートを示している。
Ｓ３００：選択操作送信手段１１３は、閲覧端末１００−２のユーザの選択操作を受け付けたことに応じて、ユーザが選択した動画の動画ＩＤを動画配信サーバ３００へ送信する。ユーザの選択操作とは、具体的には、動画表示エリアをマウスクリックすること等である。
Ｓ３１０：選択操作受信手段３５１は、ステップＳ３００で送信された動画ＩＤを受信する。
【００７０】
Ｓ３２０：アドレス取得手段３５２は、ステップＳ３１０にて受信した動画ＩＤに対応するブログアドレスを連携データ記憶手段３４０から取得する。
Ｓ３３０：アドレス送信手段３５３は、ステップＳ３２０で取得したブログアドレスを閲覧端末１００−２へ送信する。
【００７１】
Ｓ３４０：受信手段１１４は、ステップＳ３３０で送信されたブログアドレスを受信し、ブラウザに送信する。ブラウザは送信されたブログアドレスに従ってブログを表示させる。
Ｓ３５０：出力手段１１５は、ブラウザにて表示されたブログを出力し、本フローの処理を終了する。
【００７２】
上述した処理にて、動画投稿サイト等にある動画をその動画が投稿されているブログとリンクさせることができる。それにより、動画を閲覧したユーザをブログに容易に誘導することができ、また、ユーザは動画を糸口として興味あるブログを見つけることができる。
（第２実施形態）
【００７３】
第１実施形態においては、ブログ記事を投稿する投稿端末１００−１から、ブログサーバ２００および動画配信サーバ３００それぞれに直接ブログデータ等を送信しているが、ブログサーバ２００を介して動画配信サーバ３００にブログデータ等を送信することもできる。
【００７４】
第２実施形態では、その場合の変更点について、説明する。なお、以下で説明する点以外は、前述の第１実施形態と同様である。また、以下の説明および図面において、第１の実施形態と同様の機能を果たす部分には、同一の符号をつけて、重複する説明を適宜省略する。
【００７５】
［投稿端末、ブログサーバ、および動画配信サーバの機能構成］
図８は、本発明の第２実施形態に係る投稿端末１００−１、ブログサーバ２００、および動画配信サーバ３００の機能構成の概要を示す図である。投稿端末１００−１は、投稿手段１１１に変わって、ブログ投稿手段１１６を備える。ブログ投稿手段１１６は、投稿受付手段１１０からブログデータを受信し、ブログデータをブログサーバ２００のブログデータ受信手段２１０に送信する。
【００７６】
ブログサーバ２００は、更に転送手段２１２を備える。転送手段２１２は、ブログデータ受信手段２１０にて受信したブログデータとブログアドレスとを動画配信サーバ３００の動画連携データ受信手段３１０に送信する。動画配信サーバ３００の動画連携データ受信手段３１０は、転送手段２１２から送信されたブログデータとブログアドレスとを受信し、動画登録手段３１１に送信する。
【００７７】
［第２実施形態に係るフローチャート］
図９は、本発明の第２実施形態に係る投稿処理のフローチャートを示している。
Ｓ１４１：転送手段２１２は、ステップＳ１２０にて受信したブログデータに動画データが含まれるか否かの判断を行う。ブログデータに動画データが含まれる場合には、動画配信サーバ３００にブログデータとブログアドレスとが送信される。ブログに記事の一部として投稿された動画データを動画投稿サイトにも投稿するためである。一方、ブログデータに動画データが含まれない場合には、処理は終了する。
Ｓ１５１：転送手段２１２は、ブログデータに動画データが含まれると判断すると、動画連携データを動画配信サーバ３００に送信する。
【００７８】
このようにすることで、投稿端末１００−１に動画配信サーバ３００へデータを送信する手段を新たに設けなくとも、動画投稿サイト連携システムを構築することができる。つまり、第２の実施形態においては、従来のブログ投稿技術を備えた投稿端末１００−１を用いることができる。
（第３実施形態）
【００７９】
第１実施形態においては、ブログ記事を投稿する投稿端末１００−１から、ブログサーバ２００および動画配信サーバ３００それぞれに直接ブログデータ等を送信しており、第２実施形態においては、ブログサーバ２００を介して動画配信サーバにブログデータ等を送信しているが、動画投稿サイト連携装置４００を介して、ブログサーバ２００および動画配信サーバ３００にブログデータ等を送信することもできる。
【００８０】
第３実施形態では、第１および第２実施形態との変更点について、説明する。なお、以下で説明する点以外は、前述の第１および第２実施形態と同様である。また、以下の説明および図面において、第１および第２実施形態と同様の機能を果たす部分には、同一の符号をつけて、重複する説明を適宜省略する。
【００８１】
［動画投稿サイト連携システムの全体構成］
図１０は、本発明の第３実施形態に係る動画投稿サイト連携システム２の全体構成を示す図である。動画投稿サイト連携システム２は、更に、動画投稿サイト連携装置４００を備える。動画投稿サイト連携装置４００は、２台のクライアント端末１００−１，１００−２、ブログサーバ２００、および動画配信サーバ３００それぞれと通信回線５００を介して接続されている。また、動画投稿サイト連携装置４００は、投稿端末１００−１から送信されたブログデータをブログサーバ２００および動画配信サーバ３００へ送信する。
【００８２】
図１１は、本発明の第３実施形態に係る投稿端末１００−１、ブログサーバ２００、動画配信サーバ３００、および動画投稿サイト連携装置４００の機能構成の概要を示す図である。動画投稿サイト連携装置４００は、投稿受付手段４１０、ブログ投稿手段４１１、および動画投稿手段４１２を備える。
【００８３】
投稿受付手段４１０は、投稿受付手段１１０と同様の機能を有し、投稿端末１００−１からの投稿を受け付ける。ブログ投稿手段４１１は、ブログ投稿手段１１６と同様の機能を有し、投稿受付手段４１０から受信したブログデータをブログデータ受信手段２１０に送信する。動画投稿手段４１２は、動画を含むブログデータおよびブログアドレスを動画配信サーバ３００に送信する。なお、図においてはブログ投稿手段４１１と動画投稿手段４１２の処理は時系列的に示されているが、これらの処理の順序は適宜設計されてよく、同時に行なってもよい。
【００８４】
上述した手段を備える動画投稿サイト連携装置４００を、動画投稿サイト連携システム２に備えることにより、第１の実施形態における投稿受付手段１１０、ブログ投稿手段１１６、動画連携データ受信手段３１０、連携データ登録手段３１２、連携データ記憶手段３４０が、第２の実施形態においては更に転送手段２１２が、不要となる。
【００８５】
［第３実施形態に係るフローチャート］
図１２は、本発明の第３実施形態に係る投稿処理のフローチャートを示している。
Ｓ１０２：投稿受付手段４１０は、投稿端末１００−１のユーザがブログ記事作成ページに入力したブログデータのブログサーバ２００への投稿要求を受け付けたことに応じて、ブログ記事作成ページにて入力されたブログデータを取得する。
Ｓ１１２：ブログ投稿手段４１１は、ステップＳ１０２にて取得されたブログデータをブログサーバ２００に送信する。
【００８６】
Ｓ１４２：動画投稿手段４１２は、ブログデータに動画データが含まれるか否かの判断を行う。ブログデータに動画データが含まれる場合には、動画配信サーバ３００にブログデータとブログアドレスとが送信される。ブログに記事の一部として投稿された動画データを動画投稿サイトにも投稿するためである。一方、ブログデータに動画データが含まれない場合には、処理は終了する。
Ｓ１５２：動画投稿手段４１２は、ブログデータに動画データが含まれると判断すると、動画連携データを動画配信サーバ３００へ送信する。
【００８７】
動画編集処理については、図６に示したフローチャートの動画配信サーバ３００における処理を動画投稿サイト連携装置４００が行う。同様に、動画連携処理についても、図７に示したフローチャートの動画配信サーバ３００における処理を動画投稿サイト連携装置４００が行う。
【００８８】
このようにすることで、投稿端末１００−１、ブログサーバ２００、および動画配信サーバ３００に動画連携システム２のための新たな手段を設けなくとも、動画投稿サイト連携装置４００を設けることのみで動画投稿サイト連携システム２を構築することができる。つまり、第３実施形態においては、従来のブログ投稿技術を備えた投稿端末１００−１、ブログサーバ２００、および動画配信サーバ３００を用いることができる。
【００８９】
［表示例］
図１３は、本発明の各実施形態に係るブログ記事作成ページの一例である。図はユーザ（ブログ作成者）Ａが自身のブログに投稿する記事を入力したブログ記事作成ページのである。ユーザＡのようなブログ作成者は、一般に、ブログ提供サイトが用意しているブログ記事作成ページか、ブログ作成者のクライアント端末にインストールして用いるブログエディタが用意しているブログ記事作成ページにてブログに投稿する記事を作成するのが一般的である。
【００９０】
いずれのブログ記事作成ページにおいても、ブログに投稿する記事タイトルを入力する記事タイトル欄６０３、その記事を分類するためのカテゴリ欄６０４、ブログに投稿する記事本文を入力する記事本文欄６０５、ブログに掲載する画像を指定する画像添付欄６０６、ブログに掲載する動画を指定する動画添付欄６０７、記事のレイアウトを確認する確認ボタン６０８、およびブログ記事作成ページに記入された記事をブログに投稿するブログ投稿ボタン６０１等を備えている。
【００９１】
本発明の実施形態に係るブログ記事作成ページには、新たにブログ＋動画投稿ボタン６０２が追加される。ブログを投稿すると共に、動画添付欄６０７にて指定された動画を動画投稿サイトに投稿するためのボタンであり、このボタンが押下されると図５に示した投稿処理が開始する。これにより、ブログ記事作成ページに記入された記事のブログへの投稿と動画添付欄６０７に指定された動画の動画投稿サイトへの投稿とを一度にすることができるので、ユーザは手間が省ける。従来のブログ投稿ボタン６０１は、動画添付欄６０７に動画が指定されず動画投稿サイトに動画を投稿しない場合に用いる。
【００９２】
ブログ記事作成ページの各欄にユーザＡが文章等入力し、ブログ＋動画投稿ボタン６０２を押下すると、ブログサーバ２００へブログ記事作成ページに入力された情報（ブログデータ）が送信される。ブログデータが送信される先は、ブログサーバ２００にあるユーザＡのブログであり、そのアドレスは、ブログ記事作成ページにあらかじめ設定してあるのが望ましい。ブログ提供サイトが用意しているブログ記事作成ページの場合には、ユーザ認証が行われ、ユーザが認証されると、ブログ記事作成ページにそのユーザのブログのアドレスが自動で設定される。
【００９３】
図１４は、一般的なブログの一例である。図は、図１３に示したブログ記事作成ページにて作成されたブログである。記事タイトル欄６０３に入力した内容が、投稿した記事のタイトル６１３として表示される。ここには、記事を投稿した日時も合わせて表示されることが多い。記事本文欄６０５にて入力した内容は、ブログ記事として６１５に表示される。動画添付欄６０７に指定された動画は６１７に表示される。動画は、ブログが表示されたことに応じて、再生されるようにしてもよいし、ブログを閲覧したユーザが再生ボタン等を押下されたことに応じて、再生されるようにしてもよい。動画を入れることで、言葉だけでは伝えにくい内容を閲覧ユーザに伝えることができたり、情緒的訴求効果が高くなる。
【００９４】
図１５は、本発明の各実施形態に係る動画再生ページの一例である。図は、動画投稿サイトに投稿された動画を再生する動画再生ページにて、図１３に示すブログ記事作成ページから投稿された動画が再生されている様子を表している。動画再生エリア６２７には、動画添付欄６０７に指定された動画に、図６に示した動画編集処理にて記事本文欄６０５に入力された内容に基づいて作成された音声データおよびキャプションを関連付けた動画コンテンツが再生される。動画コンテンツが再生されると、図に示すように、記事本文欄６０５に入力された文章の音声が動画と合わせて再生される。これにより、動画に容易にナレーションをつけることができ、質の高い動画コンテンツを提供することができる。
【００９５】
動画コンテンツに関連付けられているキャプションも動画と合わせて表示することができ、例えば、図に示すようにマウスカーソル６２９を動画再生エリア内の移動させた際に、キャプション６２８を表示させることができる。これにより、動画が添付されているブログのテキストをユーザに提示することにより、ユーザにブログへの興味を持たせることができる。また、動画に関する情報を閲覧するユーザに提供することができる。更に、ユーザが閲覧した動画に興味を持った場合には、動画再生エリア６２７をクリックすることにより、動画にリンクされている図９に示すブログを自己のクライアント端末の画面上に表示することができる。このように動画を閲覧したユーザをブログへ誘導することができ、逆に、ユーザはブログを検索するためのツールとして動画を用いることができる。
【００９６】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００９７】
【図１】本発明の第１実施形態に係る動画投稿サイト連携システムの全体構成を示す図である。
【図２】本発明の第１実施形態に係る投稿端末、ブログサーバ、および動画配信サーバの機能構成の概要を示す図である。
【図３】本発明の第１実施形態に係る閲覧端末、および動画配信サーバの更なる機能構成の概要を示す図である。
【図４】本発明の各実施形態に係るクライアント端末、ブログサーバ、および動画配信サーバのハードウェア構成を示す図である。
【図５】本発明の第１実施形態に係る投稿処理のフローチャートを示している。
【図６】本発明の第１実施形態に係る動画編集処理のフローチャートを示している。
【図７】本発明の第１実施形態に係る動画連携処理のフローチャートを示している。
【図８】本発明の第２実施形態に係る投稿端末、ブログサーバ、および動画配信サーバの機能構成の概要を示す図である。
【図９】本発明の第２実施形態に係る投稿処理のフローチャートを示している。
【図１０】本発明の第３実施形態に係る動画投稿サイト連携システムの全体構成を示す図である。
【図１１】本発明の第３実施形態に係る投稿端末、ブログサーバ、動画配信サーバ、および動画投稿サイト連携装置の機能構成の概要を示す図である。
【図１２】本発明の第３実施形態に係る投稿処理のフローチャートを示している。
【図１３】本発明の各実施形態に係るブログ記事作成ページの一例である。
【図１４】一般的なブログの一例である。
【図１５】本発明の各実施形態に係る動画再生ページの一例である。
【符号の説明】
【００９８】
１  動画サイト連携システム
１００−１  投稿端末
１００−２  閲覧端末
１１０      投稿受付手段
１１１      投稿手段
２００      ブログサーバ
２１０      ブログデータ受信手段
２１１      ブログデータ登録手段
２３０      ブログ記憶手段
３００      動画配信サーバ
３１０      動画連携データ受信手段
３１１      動画登録手段
３１２      連携データ登録手段
３３０      動画記憶手段
３４０      連携データ記憶手段
【図１】
2010067080.tif 000003
【図２】
2010067080.tif 000004
【図３】
2010067080.tif 000005
【図４】
2010067080.tif 000006
【図５】
2010067080.tif 000007
【図６】
2010067080.tif 000008
【図７】
2010067080.tif 000009
【図８】
2010067080.tif 000010
【図９】
2010067080.tif 000011
【図１０】
2010067080.tif 000012
【図１１】
2010067080.tif 000013
【図１２】
2010067080.tif 000014
【図１３】
2010067080.tif 000015
【図１４】
2010067080.tif 000016
【図１５】
2010067080.tif 000017